(57)【要約】      （修正有）【課題】本発明の課題は、狭い浴室やシャワー室において、使い勝手の良いシャワー用折畳み椅子を提供することにある。【解決手段】左右一対の前脚４，４の上部に後脚５，５の上端をそれぞれ枢着して前脚４と後脚５とによって人形を形成し、該左右の後脚５，５の中間部にはそれぞれ座部６取付けブラケット５１を前方に向けて差出し、該後脚５の座部６取付けブラケット５１，５１間には座部６の後縁部を枢着差渡し、該左右の前脚４，４の中間部には棒受けブラケット４２，４２を前方に向けて差出し、該棒受けブラケット４２，４２間には座部６支持棒６２を差渡し、使用状態では該前脚４と該後脚５とを開いて該座部６を水平状態として該前脚４，４の棒受けブラケット４２，４２間に差渡されている支持棒６２によって該座部６下面を支持し、折畳み状態では該前脚４と該後脚５とを閉じて該座部６を跳ね上げ状態とするシャワー用折畳み椅子１を提供する。  【選択図】図１
2005087584.tif 000002
【特許請求の範囲】
【請求項１】
左右一対の前脚の上部に後脚の上端をそれぞれ枢着して前脚と後脚とによって人形を形成し、該左右の後脚の中間部にはそれぞれ座部取付けブラケットを前方に向けて差出し、該後脚の座部取付けブラケット間には座部の後縁部を枢着差渡し、該左右の前脚の中間部には棒受けブラケットを前方に向けて差出し、該棒受けブラケット間には座部支持棒を差渡し、使用状態では該前脚と該後脚とを開いて該座部を水平状態として該前脚の棒受けブラケット間に差渡されている支持棒によって該座部下面を支持し、折畳み状態では該前脚と該後脚とを閉じて該座部を跳ね上げ状態とすることを特徴とするシャワー用折畳み椅子。
【請求項２】
該座部の下面にはＵ字形補強パイプが開端を前側に閉端を後側に向けて装着されている請求項１に記載のシャワー用折畳み椅子。
【請求項３】
該左右一対の前脚は上端において上辺部を介して一体的に連結されてコの字形を形成している請求項１または２に記載のシャワー用折畳み椅子。
【請求項４】
該左右一対の前脚の上端には背もたれが差渡されている請求項１〜３に記載のシャワー用折畳み椅子。
【請求項５】
該左右一対の前脚の上部には前方に向けてアームレストがそれぞれ差出されている請求項１〜４に記載のシャワー用折畳み椅子。
【請求項６】
該アームレストは上方へ跳ね上げ可能とされている請求項１〜５に記載のシャワー用折畳み椅子。
【請求項７】
該座部裏面前部にグリップを設け、使用状態で該座部のグリップが該前脚の棒受けブラケット間に差渡されている支持棒に係合することによって、該座部が後方へ回動することを阻止する請求項１〜６に記載のシャワー用折畳み椅子。
【請求項８】
該座部裏面と該前脚との間には使用状態で該前脚と該後脚との開度を規制するためのリンクが差渡されている請求項１〜７に記載のシャワー用折畳み椅子。
【請求項９】
該前脚と該後脚とは長さ調節可能にされている請求項１〜８に記載のシャワー用折畳み椅子。
【発明の詳細な説明】
【技術分野】
【０００１】
本発明はシャワー用の折畳み椅子に関するものである。
【背景技術】
【０００２】
〔従来の技術〕
従来、例えば病人、老人、身障者等がシャワーを使用する場合に用いる折畳み可能なシャワー用椅子(10)として、図８および図９に示すように、該シャワー用椅子(10)を使用しないときには場所をとらないように該シャワー用椅子(10)の前脚(20,20) と後脚(21,21) とを折畳んでコンパクトにすることが出来るシャワー用椅子(10)が提供されている（例えば特許文献１参照）。
【０００３】
【特許文献１】意匠登録第１１１３６４９号公報
【発明の開示】
【発明が解決しようとする課題】
【０００４】
上記従来の折畳み椅子(10)にあっては、座部の両側から前脚(20,20) が前方に長く突出しており、座部(22)の前脚(20,20) からの突出長が短いために（具体的には略１３cm）、横あるいは斜め前方から使用者が移乗する時、前脚(20,20) が邪魔になり、円滑な移乗が出来なくなると云う問題がある。
通常浴室あるいはシャワー室は狭いので、折畳み椅子の移乗は横あるいは斜め前方から行われる。
【課題を解決するための手段】
【０００５】
本発明は上記従来の課題を解決するための手段として、左右一対の前脚(4,4) の上部に後脚(5,5) の上端をそれぞれ枢着して前脚(4) と後脚(5) とによって人形を形成し、該左右の後脚(5,5) の中間部にはそれぞれ座部(6) 取付けブラケット(51,51) を前方に向けて差出し、該後脚(5) の座部(6) 取付けブラケット(51,51) 間には座部(6) の後縁部を枢着差渡し、該左右の前脚(4,4) の中間部には棒受けブラケット(42,42) を前方に向けて差出し、該棒受けブラケット(42,42) 間には座部(6) 支持棒(62)を差渡し、使用状態では該前脚(4) と該後脚(5) とを開いて該座部(6) を水平状態として該前脚(4) の棒受けブラケット(42,42) 間に差渡されている支持棒(62)によって該座部(6) 下面を支持し、折畳み状態では該前脚(4) と該後脚(5) とを閉じて該座部(6) を跳ね上げ状態とするシャワー用折畳み椅子(1) を提供する。
該座部(6) の下面にはＵ字形補強パイプ(66)が開端を前側に閉端を後側に向けて装着されていることが望ましい。該左右一対の前脚(4,4) は上端において上辺部(4A)を介して一体的に連結されてコの字形を形成しているのが一般的であり、そして該左右一対の前脚(4,4) の上端には背もたれ(2) が差渡され、また該左右一対の前脚(4,4) の上部には前方に向けてアームレスト(3,3) がそれぞれ差出されていることが望ましい。更に該アームレスト(3,3) は上方へ跳ね上げ可能とされていることが望ましい。また更に該座部(6) 裏面前部にグリップ(63A) を設け、使用状態で該座部(6) のグリップ(63A) が該前脚(4) の棒受けブラケット(42,42) 間に差渡されている支持棒(62)に係合することによって、該座部(6) が後方へ回動することを阻止することが望ましい。また該座部(6) 裏面と該前脚(4) との間には使用状態で該前脚(4) と該後脚(5) との開度を規制するためのリンク(64)が差渡されていることが望ましい。更に該前脚(4) と該後脚(5) とは長さ調節可能にされていることが望ましい。
【発明の効果】
【０００６】
〔作用〕
本発明にあっては、座部(6) の後縁部が該後脚(5,5) の中間部から前方に向けて差出されている座部取付けブラケット(51,51) に枢着されているので、座部(6) の後縁枢着位置を前方にずらすことが出来、それに対応して前脚(4,4) の中間部から前方に向けて棒受けブラケット(42,42) を差出し、該棒受けブラケット(42,42) 間には座部(6) 支持棒(62)を差渡し、該座部(6) 支持棒(62)により該座部(6) 下面の支持位置を前方にずらしている。
したがって該座部(6) は該前脚(4,4) に対して前方にずらすことが出来る（実際には座部(6) の前脚(4,4) からの突出長Ｌは２００cm以上確保出来る）。
該座部(6) の前脚(4,4) からの突出長Ｌを長くすれば、該座部(6) にかゝる使用者の体重等の負荷によるモーメントが大きくなるが、該座部(6) の下面にＵ字形補強パイプ(66)が開端を前側に閉端を後側に向けて装着されていると、該座部(6) が該補強パイプ(66)によって補強され、負荷による撓みや破壊が防止される。
該左右一対の前脚(4,4) は上端において上辺部(4A)を介して一体的に連結されてコの字形を形成していると、椅子(1) の構造強度が高くなる。
該左右一対の前脚(4,4) の上端には背もたれ(2) が差渡されており、また該左右一対の前脚(4,4) の上部には前方に向けてアームレスト(3,3) がそれぞれ差出されていると使用者は該背もたれ(2) に背をもたせかけ、かつ肘をアームレスト(3) にかけてより安楽に腰かけることが出来る。
更に該アームレスト(3,3) は上方へ跳ね上げ可能とされていると、椅子(1) を折畳んだ時、アームレスト(3,3) も跳ね上げてコンパクトな折畳み状態とすることが出来る。更に該座部(6) 裏面前部にグリップ(63A) を設け、使用状態で該座部(6) のグリップ(63A) が該前脚(4) の棒受けブラケット(42,42) 間に差渡されている支持棒(62)に係合することによって、該座部(6) が後方へ回動することを阻止すると、使用者が該椅子(1) に腰掛けた時、該座部(6) が急に後方へ回動して使用者が該椅子(1) から転落したり倒れたりすることが防止される。
【０００７】
〔効果〕
本発明のシャワー用折畳み椅子は、使用者が前脚に干渉されずに斜め前方向あるいは横方向から容易に移乗することが出来、狭い浴室やシャワー室内でも使い勝手が良い。
【発明を実施するための最良の形態】
【０００８】
以下に本発明を詳細に説明する。
【実施例】
【０００９】
本発明を図１〜図７に示す一実施例によって説明する。図に示すシャワー用折畳み椅子(1) にあっては左右の前脚(4,4) の上部に三角ブラケット(41,41) を介して後脚(5,5) の上端が枢着されており、かくして前脚(4,4) と後脚(5,5) とは開閉折畳み可能にされている。そして該左右の前脚(4,4) は上端において上辺部(4A)を介して一体的に連結されて左右の前脚(4,4) と上辺部(4A)とでコの字形を形成している。更に前脚(4,4) の中間部には補強棒(4B)が差渡されており、後脚(5,5) の中間部にも補強棒(5B)が差渡されている。
【００１０】
該上辺部(4A)の前側には背もたれ(2) が取付けられており、更に該左右の前脚(4,4) の上部にはアームレスト(3,3) の根端部が枢軸(33)を介してそれぞれ上方へ跳ね上げ可能に取付けられている。図３、図４、図５に示すように、該アームレスト(3) は横断面コの字形の本体(31)と、該本体(31)の内側に取付けられている左右の内側板(32)とからなり、該本体(31)の根端側には前脚(4) を通す切欠き(34)が形成されている。
【００１１】
該内側板(32)には図６に示すように先端部において左右に差渡される天板(32A) が一体的に形成されており、該天板(32A) を介してビス(35)によって該本体(31)の内側に取付けられており、該前脚(4) の上部には軸受け(36)が形成されており、該枢軸(33)は該軸受け(36)に支持されている。そして該内側板(32)の根縁には段部(37)が形成されており、該アームレスト(3) が水平使用状態の時には該内側板(32)の段部(37)が、該前脚(4) から突出しているストッパーピン(38)に係止されることによって、該アームレスト(3) は水平使用状態に支持される。更に該アームレスト(3) の本体(31)の前部上面には肘掛けパッド(39)が取付けられている。
【００１２】
該後脚(5,5) の上部からは前方に三角形状の取付けブラケット(51,51) が差出されており、該取付けブラケット(51,51) の頂部間には枢軸(61)が差渡されており、該枢軸(61)は座部(6) の下面根端部の軸受け(63)に嵌着され、かくして該座部(6) は該枢軸(61)を中心として上方に跳ね上げ回動可能に後脚(5,5) 間に取付けられている。
該前脚(4,4) の中間部からは前方に三角ブラケット（棒受けブラケット）(42,42) が差出されており、該三角ブラケット(42,42) の頂部間には支持棒(62)が差渡されている。そして該座部(6) の裏面前部には、該座部(6) の水平使用状態で該支持棒(62)を把持するばねグリップ(63A,63A) が取付けられている。
【００１３】
更に該座部(6) の裏面と該前脚(4) との間には、使用状態における該前脚(4,4) と該後脚(5,5) との開度を規制するために左右一対のリンク(64,64) が差渡されている。即ち該リンク(64,64) の一端は前脚(4,4) の三角ブラケット(42,42) に支持棒(62)と共軸的に枢着され、該リンク(64,64) の他端は該座部(6) の後部両端の軸受け(65,65) に枢着されている。
【００１４】
該前脚(4,4) および該後脚(5,5) の下部には摺動脚部(7,7) がそれぞれ外挿され、該摺動脚部(7,7) には上下に複数個のピン孔(71,71) が列設され、該ピン孔(71)内には内側からスプリング（図示せず）によって付勢された位置決めピン(72)が挿入される。該位置決めピン(72)を指で押し込み、該摺動脚部(7) を上下摺動させて長さを所定に調整した状態で該ピン孔(71)内に該位置決めピン(72)を係合して固定することにより、該前脚(4) および該後脚(5) は長さを調節する。更に、該前脚(4,4) の摺動脚部(7,7) および後脚(5,5) の摺動脚部(7,7) の先端部にはそれぞれゴム脚(8,8) が挿着され、該ゴム脚(8) の中央部には水抜き孔(81)が設けられ、該ゴム脚(8) の底面は使用状態において水平になるように設定されている。
【００１５】
上記したように該前脚(4,4) と該後脚(5,5) とは長さ調節可能にされているため、使用者の体型に合わせて座面の高さを調節することが可能となる。
また、該前脚(4,4) の摺動脚部(7,7) および後脚(5,5) の摺動脚部(7,7) の先端部にはそれぞれゴム脚(8,8) が挿着されているため、該シャワー用折畳み椅子(1) が滑るのを防止することが出来、更に、該ゴム脚(8) には水抜き孔(81)が設けられているため、該ゴム脚(8) 内に水が溜まるのを防止することが出来る。
【００１６】
該シャワー用折畳み椅子(1) を使用状態にするには、該前脚(4,4) と該後脚(5,5) とを開き、該前脚(4,4) の三角ブラケット(42,42) の間に差渡されている支持棒(62)に該座部(6) 裏面前部のばねグリップ(63A,63A) を押し付けると、該ばねグリップ(63A,63A) は弾性的に押し開かれ、該支持棒(62)上側は該グリップ(63A,63A) に係合掴持された状態で該座部(6) を水平状態に支持する。
なお前脚(4) と床面Ｆとの前後方向の開き角度αは５６．５°、後脚(5) と床面Ｆとの前後方向の開き角度βは７０°程度とするのが望ましい。
【００１７】
上記使用状態において、該前脚(4,4) の三角ブラケット(42,42) の間に差渡されている支持棒(62)を該座部(6) 裏面前部のグリップ(63A,63A) に掴持させて該座部(6) を水平支持するため、着座時に該座部(6) が不安定となるのを防ぐことが出来、該シャワー用折畳み椅子(1) が不意に後方へ回動して使用者が転倒するのを防ぐことが出来る。
また、該シャワー用折畳み椅子(1) を折畳み状態にするには、アームレスト(3,3) を跳ね上げ状態にし、該前脚(4,4) の三角ブラケット(42,42) の間に差渡されている支持棒(62)から該座部(6) 裏面のグリップ(63A,63A) を取外し、該前脚(4,4) と該後脚(5,5) とを閉じてかつ該座部(6) を跳ね上げ状態にする。
【００１８】
更に上記使用状態において、該前脚(4,4) と該後脚(5,5) との開度は該座部(6) と該前脚(4,4) との間のリンク(64,64) によって規制されるため、該前脚(4,4) と該後脚(5,5) が過度に開くのを防止することが出来る。また更に該背もたれ(2) は、使用者が腰掛けた時、使用者の背中の少なくとも上半部が露出するように低く設定されているため、使用者または介助者は該背もたれ(2) に干渉されることなく使用者の背中を容易に洗うことが可能となる。
【００１９】
また該アームレスト(3,3) を設けたため、使用者は該アームレスト(3,3) に肘をかけて支持させて安楽にすることが出来、また立ち座りの際には該アームレスト(3,3) に掴まって体を安定させることが出来る。
【００２０】
そして上記使用状態にあっては、該座部(6) の位置が従来のものよりも前方にずれており、前脚(4,4) からの突出長Ｌは２０cm以上とすることが出来、使用者は前脚(4,4) に干渉されることなく、斜め前方あるいは横方向から該椅子(1) に容易に移乗出来る。しかし該座部(6) を前方にずらして突出長Ｌを長くすることによって、該座部(6) に及ぼされる使用者の体重等の負荷によるモーメントが大きくなるので、該座部(6) の裏面に図７に示すようなＵ字形の補強パイプ(66)を装着して、該座部(6) が負荷によって撓んだり破壊したりすることを防止する。なお該補強パイプ(66)は開端を前側へ閉端を後側へ向けて配置する。
【産業上の利用可能性】
【００２１】
本発明のシャワー用折畳み椅子は、狭い浴室やシャワー室内でも、使用者が該椅子に斜め前方からあるいは横方向から容易に移乗することが出来、老人や身障者にとって極めて使い勝手が良い。
【図面の簡単な説明】
【００２２】
図１〜図７は本発明の一実施例を示すものである。
【図１】シャワー用折畳み椅子の斜視図
【図２】シャワー用折畳み椅子の側面図
【図３】アームレスト平面図
【図４】アームレスト裏面図
【図５】図３におけるＡ−Ａ断面図
【図６】内側板斜視図
【図７】シャワー用折畳み椅子の裏面図  図８〜図９は従来例を示すものである
【図８】シャワー用折畳み椅子の斜視図
【図９】折畳み状態の左側面図
【符号の説明】
【００２３】
1       シャワー用折畳み椅子
2       背もたれ
3       アームレスト
4       前脚
4A      上辺部
5       後脚
6       座部
42      棒受けブラケット（三角ブラケット）
51      取付けブラケット
62      支持棒
63A     グリップ
64      リンク
66      補強パイプ
【図１】
2005087584.tif 000003
【図２】
2005087584.tif 000004
【図３】
2005087584.tif 000005
【図４】
2005087584.tif 000006
【図５】
2005087584.tif 000007
【図６】
2005087584.tif 000008
【図７】
2005087584.tif 000009
【図８】
2005087584.tif 000010
【図９】
2005087584.tif 000011